(57)【特許請求の範囲】
【請求項１】
短絡検出手段を設けた防災受信機より第１の伝送線を導出させて複数の中継器を接続し、その中継器の各々に、火災感知器や防排煙機器を接続した第２の伝送線を接続し、防災受信機より上記第１の伝送線、中継器を通じて、上記火災感知器や防排煙機器に電源と制御信号を送出する構成とした防災用監視システムにおいて、
上記防災受信機の短絡検出手段が伝送線の短絡を検出した場合には、
上記防災受信機と上記第１の伝送線との接続と、それぞれの中継器と、上記第２の伝送線との接続とを一旦切り離し、
ついで、防災受信機から上記第１の伝送線を通じて、順次、各中継器に電源を供給するとともに制御信号を送出して、それぞれの中継器を対応した第２の伝送線に接続して、上記防災受信機の短絡検出手段によって短絡の有無を判別することを特徴とする防災用監視システムにおける短絡検出方法。
【請求項２】
上記防災受信機は、請求項１に記載した短絡検出方法を実行することによって短絡と判別された中継器に対しては、その第２の伝送線との接続を切り離し保持し、短絡と判別されなかった中継器のみを順次ポーリング制御することを特徴とする防災用監視方法。
【請求項３】
防災受信機から導出された第１の伝送線に複数の中継器を接続し、更に各中継器から導出された第２の伝送線に複数の防災端末器を接続した構成の防災用監視システムにおいて、
上記防災受信機は、上記第１の伝送線と第２の伝送線における短絡を検出する短絡検出手段と、
上記短絡検出手段によって伝送線の短絡を検出したときに、すべての中継器への伝送を遮断する伝送遮断手段と、
上記第１の伝送線を通じて、各中継器に対し個別に第２の伝送線の接続要求信号を送出する中継器接続手段とを備え、
上記各中継器は、上記防災受信機の伝送遮断手段によって伝送が遮断されたときには、上記第２の伝送線を切断する一方、上記中継器接続手段によって個別に接続要求信号を受けたときには、上記第２の伝送線を接続する接続制御手段を備えたことを特徴とする防災用監視システム。
【請求項４】
請求項３において、
上記防災受信機の伝送遮断手段は、伝送線の短絡を検出したときに、上記第１の伝送線への電源供給を遮断することによって、すべての中継器への伝送を遮断し、
上記各中継器の接続制御手段は、上記第１の伝送線を通じた電源供給が遮断されたときに、上記第２の伝送線を切断することを特徴とする防災用監視システム。
【請求項５】
請求項３あるいは４において、
上記防災受信機は、上記中継器接続手段によって、各中継器に対し個別に第２の伝送線の接続要求信号を送出したときに、上記短絡検出手段によって伝送線の短絡を検出した場合は、
再度、上記伝送遮断手段によって、すべての中継器への伝送を遮断し、それぞれの第２の伝送線を切断させ、その後、上記中継器接続手段によって、上記短絡を検出したときの中継器以外のすべての中継器に対し、順次個別に第２の伝送線の接続要求信号を送出することを特徴とする防災用監視システム。
【請求項６】
請求項３〜５のいずれかにおいて、
上記防災受信機は、上記伝送遮断手段が、すべての中継器への伝送を遮断し、上記各中継器において第２の伝送線を切断させたときには、
上記短絡検出手段が、上記第１の伝送線の短絡を検出しないことを確認した後に、上記中継器接続手段によって、各中継器に対し個別に第２の伝送線の接続要求信号を送出することを特徴とする防災用監視システム。
【発明の詳細な説明】
【０００１】
【発明の属する技術分野】
本発明は、防災用監視システムにおける短絡検出方法及びこれを用いた防災用監視方法、これらの方法を用いて、短絡した区画の伝送線のみを切断し、システム全体の伝送不能を防ぐ防災用監視システムに関する。
【０００２】
【従来の技術】
従来から、集合住宅やビル等には、火災発生やガス漏れなどの異常を監視する防災用監視システムが導入されており、例えば、各住戸などに設置された火災感知器が発報すれば、中継器を介して、管理人室などに設置された火災受信機がこれを検知し、火災の発生を報知するとともに、地区音響装置を作動させたり、防排煙機器を連動させることができるようになっている。
【０００３】
この種の防災用監視システムでは、複数の中継器を接続した伝送線、あるいは各中継器に火災感知器を接続した伝送線に短絡が生じた場合に、システム全体において伝送が不能になることを防ぐ手段が備わっている。すなわち、この手段を備えることによって、短絡が発生したときに伝送線に過大な短絡電流が流れ、火災受信機の内部に設けた保護ヒューズが切れることを防いでいる。
【０００４】
図３は、従来の短絡保護機能を備えた防災用監視システムの概略構成を示すブロック図である。
このシステムでは、防災受信機１００には、ＣＰＵ１０１と、伝送装置１０２と、短絡検出時に伝送線Ｌ１００への伝送を遮断する短絡保護装置１０３とを備えており、この受信機１００に伝送線Ｌ１００を介して接続された中継器２００には、ＣＰＵ２０１と、伝送装置２０２，２０３と、複数の感知器３００を接続した伝送線Ｌ２００における短絡を検出したときに作動する短絡保護装置２０４とを備えている。
【０００５】
中継器２００には、受信機１００と伝送線Ｌ１００を通じて信号を伝送するための１次側の伝送装置２０２と、各感知器３００と伝送線Ｌ２００を通じて信号を伝送するための２次側の伝送装置２０３とを、絶縁させるように別々に備えているため、２次側の伝送線（伝送線Ｌ２００）において短絡が発生したとしても、この影響が１次側（伝送線Ｌ１００）に及ばないようになっている。
【０００６】
すなわち、２次側で短絡が発生しても、短絡保護装置２０４が２次側の伝送を遮断し、この中継器２が構成する区画のみを切り離すので、受信機１００から伝送線Ｌ１００を通じた他の中継器２００、感知器３００への伝送が、短絡の影響を受けずに継続できるようになっている。
【０００７】
【発明が解決しようとする課題】
しかしながら、上記従来の防災用監視システムは、中継器に、１次側と２次側に２つの伝送装置を備え、中継器と受信機とで２段階の短絡保護機能を構成する必要があるので、多くの中継器を備える大規模システムにおいては、コストがかかるという問題があった。
【０００８】
本発明は、このような事情に鑑みてなされたものであり、中継器の内部構成を簡略化し、システム全体のコストダウンを図ることができる防災用監視システム、これに用いられる短絡検出方法、防災用監視方法を提供することを目的とする。
【０００９】
【課題を解決するための手段】
上記目的を達成するために提案される本発明の請求項１に記載の短絡検出方法は、防災用監視システムにおいて、防災受信機の短絡検出手段が伝送線の短絡を検出した場合には、防災受信機と第１の伝送線との接続と、それぞれの中継器と、第２の伝送線との接続とを一旦切り離し、ついで、防災受信機から第１の伝送線を通じて、順次、各中継器に電源を供給するとともに制御信号を送出して、それぞれの中継器を対応した第２の伝送線に接続して、防災受信機の短絡検出手段によって短絡の有無を判別することを特徴とする。
【００１０】
この方法によれば、受信機側に共通の短絡検出手段を設ける簡易なシステム構成で、第２の伝送線の短絡検出が出来る。ここに短絡検出は、伝送線に流れる電流を直接検知する以外、電圧を検知する方法で行ってもよい。
請求項２は、請求項１に記載した短絡検出方法を用いた防災用監視方法であり、防災受信機は、上記短絡検出方法を実行することによって短絡と判別された中継器に対しては、その第２の伝送線との接続を切り離し保持し、短絡と判別されなかった中継器のみを順次ポーリング制御することを特徴とする。この方法によれば、短絡した第２の伝送線は即座に切り離して、他の伝送線によるポーリング制御を再開できるので、短絡していない健全な伝送線が監視不能になることがない。
【００１１】
請求項３〜６には、短絡保護機能を備えた防災用監視システムを提案する。
請求項３では、防災受信機は、第１の伝送線と第２の伝送線における短絡を検出する短絡検出手段と、短絡検出手段によって伝送線の短絡を検出したときに、すべての中継器への伝送を遮断する伝送遮断手段と、第１の伝送線を通じて、各中継器に対し個別に第２の伝送線の接続要求信号を送出する中継器接続手段とを備える。また、各中継器は、防災受信機の伝送遮断手段によって伝送が遮断されたときには、第２の伝送線を切断する一方、中継器接続手段によって個別に接続要求信号を受けたときには、第２の伝送線を接続する接続制御手段を備える。
【００１２】
防災受信機は、短絡を検出すれば、すべての中継器の２次側伝送線を切断させた後、順次、個別に２次側伝送線を接続して、短絡が発生した箇所を特定する。請求項４は、防災受信機の伝送遮断手段の具体的な構成であり、伝送線の短絡を検出したときに、第１の伝送線への電源供給を遮断することによって、すべての中継器への伝送を遮断する。一方の各中継器の接続制御手段では、第１の伝送線を通じた電源供給が遮断されたときに、第２の伝送線を切断する。
【００１３】
請求項５は、短絡検出後の具体的動作を示した構成であり、防災受信機は、中継器接続手段によって、各中継器に対し個別に第２の伝送線の接続要求信号を送出したときに、短絡検出手段によって伝送線の短絡を検出した場合は、再度、伝送遮断手段によって、すべての中継器への伝送を遮断し、それぞれの第２の伝送線を切断させ、その後、中継器接続手段によって、短絡を検出したときの中継器以外のすべての中継器に対し、順次個別に第２の伝送線の接続要求信号を送出する。このような動作を繰り返せば、短絡が発生した伝送線のみを切断することができる。
【００１４】
請求項６は、短絡検出後の更に詳しい動作を示しており、防災受信機は、伝送遮断手段が、すべての中継器への伝送を遮断し、各中継器において第２の伝送線を切断させたときには、短絡検出手段が、第１の伝送線の短絡を検出しないことを確認した後に、中継器接続手段によって、各中継器に対し個別に第２の伝送線の接続要求信号を送出する。
【００１５】
【発明の実施の形態】
以下に、図面とともに、本発明の実施の形態を説明する。
図１は、本発明の防災用監視システムの要部構成を示したブロック図である。ここでは、防災用監視システムの一例として、火災感知器による火災の監視システムについて説明するが、本発明は、これには限定されず、複数の中継器のそれぞれに、１または複数の防災端末器を接続して、各感知器毎に監視区画を形成するシステムであれば適用される。言い換えれば、本発明システムは、中継器に火災感知器を接続した場合は自火報システムを構成し、中継器に防排煙機器を接続した場合は防排煙制御システムを構成する。
【００１６】
図示したシステムは、防災受信機である火災受信機１から導出された第１の伝送線（幹線）Ｌ１に、複数の中継器２を接続し、更に、各中継器２から導出された第２の伝送線（枝線）Ｌ２に防災端末器である複数の火災感知器３を接続した構成になっており、火災受信機１から各中継器２、感知器３には、伝送線Ｌ１，Ｌ２を通じて、電源供給と制御信号の伝送が行われる構成になっている。
【００１７】
複数の中継器２、感知器３には、予め固有のアドレス（図では、感知器３に「１」〜「ｎ」、中継器２に「ｎ＋１」〜「ｍ」）が付加されており、通常の監視時には、火災受信機１からポーリング等によって各機器２，３の動作状態が確認されるとともに、火災の発生などによって、火災感知器３が発報したときには、火災感知器３から火災受信機１に、第２の伝送線Ｌ２、中継器２、第１の伝送線Ｌ１を通じて発報信号が伝送され、火災受信機１が火災報知などを行う。
【００１８】
火災受信機１には、システム全体の信号制御を行うＣＰＵ１１と、第１の伝送線Ｌ１を通じた伝送を行うための伝送装置１２と、短絡検出時に伝送線Ｌ１への伝送を遮断する短絡保護装置１３と、伝送装置１２を通じて、複数の各中継器２に対し、個別に第２の伝送線Ｌ２の接続要求信号を送出する中継器接続手段１４と、短絡検出手段１５とを備える。
【００１９】
短絡検出手段１５は、第１の伝送線Ｌ１あるいは第２の伝送線Ｌ２における電流値の変化によって短絡を検出し、短絡を検出したときには、伝送遮断手段を構成する短絡保護装置１３によって、すべての中継器２への伝送を遮断し、その後、中継器接続手段１４によって、第１の伝送線Ｌ１を通じ、各中継器２に対して順次個別に第２の伝送線Ｌ２の接続要求信号を送出する。なお、短絡検出手段１５は、電圧値の変化によって短絡を検出する構成にもできる。
【００２０】
また、各中継器２には、中継器２内の各部を信号制御するＣＰＵ２１と、第１の伝送線Ｌ１あるいは第２の伝送線Ｌ２を通じた伝送を行うための伝送装置２２と、本発明の接続制御手段を構成し、防災受信機１の短絡保護装置１３によって伝送が遮断されたときには、第２の伝送線Ｌ２を切断する一方、中継器接続手段１４によって個別に接続要求信号を受けたときには、第２の伝送線Ｌ２を接続するリレー回路２３を備えている。
【００２１】
火災受信機１は、短絡を検出すれば、すべての中継器２の２次側伝送線（第２の伝送線Ｌ２）を切断させた後、順次、個別に２次側伝送線Ｌ２を接続させ、どの伝送線において短絡が発生したかを確認する。また、短絡した伝送線Ｌ２が判れば、火災受信機１は、これ以外の中継器２の２次側伝送線Ｌ２を接続させることができる。すなわち、いずれか中継器２の２次側で短絡が発生しても、該当する伝送線Ｌ２のみを切断して、システム全体をダウンさせることなく、火災受信機１と、他の中継器２、他の中継器２に接続された感知器３との伝送を継続させることが出来る。
【００２２】
このように、本発明の防災用監視システムでは、短絡保護装置１３を受信機１側に設けるだけでよく、中継器２側にも、２次側伝送線Ｌ２の接続を制御する簡単な構成のリレー回路２２を設けるだけで短絡保護機能を発揮できる。
なお、中継器２のリレー回路２２は、１次側伝送線（第１の伝送線Ｌ１）を通じた電源供給が遮断されたときに、接点が自動的に開き（ＯＦＦ）、２次側伝送線Ｌ２を切断するシングルスティブルリレーで簡単に構成できる。この場合、火災受信機１において電源を投入したときに、中継器接続手段１４から順次、各中継器２に接続要求信号を送出して、中継器２の２次側伝送線Ｌ２を接続させて、各感知器３による火災監視を開始するが、火災受信機１のＣＰＵ１１が短絡を検出したときには、短絡保護装置１３が伝送装置１２から第１の伝送線Ｌ１への電源供給を遮断することによって、すべての中継器２への伝送を遮断し、各中継器２の２次側伝送線Ｌ２を切断させる。
【００２３】
次に、図３のフローチャート（Ｓ１〜Ｓ１２）を用いて、本発明の防災用監視システムの基本動作について説明する。
火災受信機１は、通常の監視時は、伝送装置１２と中継器２の伝送装置２２との間で伝送を行っているが、伝送線Ｌ１，Ｌ２の短絡を検出すると、短絡保護装置１３を作動して電源供給を遮断する。すると、すべての中継器２への電源供給が遮断されるため、リレー回路２３の接点が開き、すべての２次側伝送線Ｌ２が切断される。次いで、一定時間後に短絡保護回路１３が復旧すれば、電源供給を再開する。この時点では、すべての中継器２のリレー回路２３の接点は開いたままであり、中継器接続手段１４から接続要求信号を受けていないので、２次側伝送線Ｌ２による短絡を検知することはないが、中継器２の１次側伝送線Ｌ１において短絡が発生していたときには、再び短絡を検知するので、この場合は、再度、短絡保護回路１３によって電源供給を遮断し、以上の動作を繰り返す（Ｓ１〜Ｓ５）。
【００２４】
ところが一方、第１の伝送線Ｌ１の短絡を検出しないことを確認した後は、中継器接続手段１４によって、各中継器２に対し個別に第２の伝送線Ｌ２の接続要求信号（「リレーＯＮ指令」コマンド）を送出する。これを受けた中継器２は、順次、リレー回路２３の接点を閉じ（ＯＮ）、２次側伝送線Ｌ２を接続するが、ある中継器２の２次側伝送線Ｌ２を接続したときに、２次側伝送線Ｌ２に短絡が生じていれば、火災受信機１側で再び短絡を検出するので、その場合、再度、短絡保護回路１３によって、電源供給を遮断し、すべての中継器２の２次側伝送線Ｌ２を切断させ、その後、短絡を検出したときの中継器２以外のすべての中継器２に対し、中継器接続手段１４から順次個別に「リレーＯＮ指令」を送出する。このような動作を繰り返して、短絡が検出されないまま、最後の中継器２まで「リレーＯＮ指令」を送出し、２次側伝送線Ｌ２を接続して、短絡した２次側伝送線Ｌ２のみを遮断し、通常の監視動作を行う（Ｓ６〜Ｓ１２）。
【００２５】
すなわち、火災受信機１は、短絡と判別した中継器２に対しては、その第２の伝送線Ｌ２との接続を切り離し保持させ、短絡と判別されなかった中継器２のみを第２の伝送線Ｌ２を接続させる。これによって、このシステムを、受信機１から中継器２、感知器３に順次ポーリング制御する監視状態に戻すことができる。
【００２６】
【発明の効果】
以上の説明から理解されるように、請求項１に記載の防災用監視システムにおける短絡検出方法によれば、受信機側だけに共通の短絡検出手段を設ける簡易なシステム構成で、各中継器から導出された第２の伝送線の短絡検出が出来る。
請求項２に記載の防災用監視方法によれば、短絡と判別された中継器は、その第２の伝送線との接続を切り離し保持し、短絡と判別されなかった中継器のみを順次ポーリング制御するので、短絡していない健全な伝送線が監視不能になることがない。
【００２７】
また、請求項３〜６に記載の防災用監視システムによれば、請求項３では、防災受信機は、短絡を検出すれば、すべての中継器の２次側伝送線を切断させた後、順次、個別に２次側伝送線を接続させるので、どの伝送線において短絡が発生したかが確認できる。また、このようにして、短絡の発生箇所が判れば、この区画のみを切断して、受信機から他の中継器、端末器への伝送を、異常を発生させることなく再開させることができる。したがって、従来のように、中継器のそれぞれに短絡保護装置を設ける必要がなく、伝送手段も１つだけ設ければよいので、従来に比べ、システム全体のコストダウンが図れる。
【００２８】
請求項４では、防災受信機は、伝送線の短絡を検出したときは、第１の伝送線への電源供給を遮断することによって、すべての中継器の２次側伝送線を切断する。これによって、簡単な構成で、迅速に短絡に伴う障害発生を回避するように動作させることが出来る。
請求項５では、防災受信機は、短絡検知後、各中継器に２次側伝送線を接続させ、再度短絡を検出すれば、この２次側伝送線において短絡したことが判るので、その後、この中継器以外に対して、再度、２次側伝送線を接続させるようにすれば、短絡が発生した伝送線のみを切断したままとして、通常の監視を行うことが出来る。
【００２９】
請求項６では、防災受信機は、短絡を検出した後は、第１の伝送線の短絡を検出しないことを確認した後に、各中継器に対し第２の伝送線を接続させるので、正確かつ迅速に短絡発生箇所を特定できる。
【図面の簡単な説明】
【図１】本発明の防災用監視システムの構成の一例を示したブロック図である。
【図２】図１に示した防災用監視システムの基本動作を示したフローチャートである。
【図３】従来の防災用監視システムの構成を示したブロック図である。
【符号の説明】
１・・・防災受信機（火災受信機）
１３・・・短絡保護装置
１４・・・中継器接続手段
１５・・・短絡検出手段
２・・・中継器
２３・・・リレー回路
３・・・防災端末器（火災感知器）
Ｌ１・・・第１の伝送線（１次側伝送線）
Ｌ２・・・第２の伝送線（２次側伝送線）
【図１】
0003622401.tif 000002
【図２】
0003622401.tif 000003
【図３】
0003622401.tif 000004